(57)【特許請求の範囲】
【請求項１】
火災感知器の火災発報に基づく火災検出信号を受信して表示する防災表示装置に於いて、
前記火災感知器の設置場所を示すシンボルを配置した監視対象の地図をデータベースに登録して管理する地図情報管理部と、
火災検出信号を受信した際に、発報した火災感知器のシンボルを配置した地図を前記データベースから読出して表示画面上に表示すると共に、前記発報した火災感知器のシンボルを通常監視時とは異なる色の火災発報時のシンボルで表示させる地図情報表示部と、
前記火災発報時のシンボルに対するオペレータによる確認操作を監視し、前記確認操作を検出するまでの時間経過に応じて前記火災発報時のシンボルを変化させて表示し、前記確認操作を検出した際に、前記変化させて表示しているシンボルを表示が変化する以前の状態に戻すシンボル表示制御部と、
を設けたことを特徴とする防災表示装置。
【請求項２】
請求項１記載の防災表示装置に於いて、
前記地図情報表示部は、発報した火災感知器のシンボルを前記火災発報時のシンボルで点滅表示させ、
前記シンボル表示制御部は、前記確認操作を検出した際に、前記点滅表示している火災発報時のシンボルを点灯表示に切り替えることを特徴とする防災表示装置。
【請求項３】
請求項１記載の防災表示装置に於いて、前記シンボル表示制御部は、前記確認操作を検出するまでの時間経過に応じて所定の最大サイズに達するまで前記火災発報時のシンボルを徐々に拡大させて表示することを特徴とする防災表示装置。
【請求項４】
請求項１記載の防災表示装置に於いて、前記シンボル表示制御部は、前記確認操作を検出するまでの時間が所定時間を越えた際に、前記火災発報時のシンボルを所定の拡大サイズに切り替えて表示することを特徴とする防災表示装置。
【請求項５】
火災感知器の火災発報に基づく火災検出信号を受信して表示する防災表示装置の制御方法に於いて、
前記火災感知器の設置場所を示すシンボルを配置した監視対象の地図をデータベースに登録して管理する地図情報管理ステップと、
火災検出信号を受信した際に、発報した火災感知器のシンボルを配置した地図を前記データベースから読出して表示画面上に表示すると共に、前記発報した火災感知器のシンボルを通常監視時とは異なる色の火災発報時のシンボルで表示させる地図情報表示ステップと、
前記火災発報時のシンボルに対するオペレータによる確認操作を監視し、前記確認操作を検出するまでの時間経過に応じて前記火災発報時のシンボルを変化させて表示し、前記確認操作を検出した際に、前記変化させて表示しているシンボルを表示が変化する以前の状態に戻すシンボル表示制御ステップと、
を設けたことを特徴とする防災表示装置の制御方法。
【発明の詳細な説明】
【技術分野】
【０００１】
本発明は、火災検出信号等の防災情報を受けて表示画面上に防災端末機器のシンボルを示した建物平面図などの監視対象の地図を表示する防災表示装置及び制御方法に関する。
【背景技術】
【０００２】
従来、この種の防災表示装置は、防災受信機から火災発報した火災感知器の火災検出信号を受信した際に、火災発生場所を含む地図を液晶ディスプレイ等の表示画面上に表示している。
【０００３】
この表示画面に表示される地図には、火災感知器を含む各種センサや防排煙ダンパ等の防災制御機器を含む各種防災端末をシンボルで表示しており、その中の火災発報した火災感知器のシンボルを例えばカラー点滅表示して火災発生場所を示すようにしている。
【０００４】
また表示画面の地図に火災発報した火災感知器のシンボルをカラー点滅表示した場合には、オペレータがマウス操作によりカラー点滅しているシンボルにカーソルを移動してクリックすることで確認し、このような確認操作を検出すると、シンボルのカラー点滅表示をカラー点灯表示に切り替え、更に、防災表示装置で管理しているログ情報に、火災発報の確認操作を時刻情報と共に記録するようにしている。
【特許文献１】特開平１１−７５９２号公報
【発明の開示】
【発明が解決しようとする課題】
【０００５】
しかしながら、このような従来の防災表示装置にあっては、表示画面の地図に火災発報した火災感知器のシンボルをカラー点滅表示した場合、オペレータが火災発生時に別の対処に気を奪われて火災発報している感知器シンボルに対する確認操作に時間がかかったり、確認操作を忘れてしまう場合があり、火災発報した感知器シンボルを利用した確認操作が適切に行われないという問題がある。
【０００６】
本発明は、発報した感知器シンボルを利用した確認操作を忘れることなく適切に対応可能とする防災表示装置及び制御方法を提供することを目的とする。
【課題を解決するための手段】
【０００７】
本発明は防災表示装置を提供する。即ち、本発明は、火災感知器の火災発報に基づく火災検出信号を受信して表示する防災表示装置に於いて、
火災感知器の設置場所を示すシンボルを配置した監視対象の地図をデータベースに登録して管理する地図情報管理部と、
火災検出信号を受信した際に、発報した火災感知器のシンボルを配置した地図をデータベースから読出して表示画面上に表示すると共に、発報した火災感知器のシンボルを通常監視時とは異なる色の火災発報時のシンボルで表示させる地図情報表示部と、
火災発報時のシンボルに対するオペレータによる確認操作を監視し、確認操作を検出するまでの時間経過に応じて火災発報時のシンボルを変化させて表示し、確認操作を検出した際に、変化させて表示しているシンボルを表示が変化する以前の状態に戻すシンボル表示制御部と、
を設けたことを特徴とする。
【０００８】
ここで、地図情報表示部は、発報した火災感知器のシンボルを火災発報時のシンボルで点滅表示させ、シンボル表示制御部は、確認操作を検出した際に、点滅表示している火災発報時のシンボルを点灯表示に切り替える。
【０００９】
シンボル表示制御部は、確認操作を検出するまでの時間経過に応じて所定の最大サイズに達するまで火災発報時のシンボルを徐々に拡大させて表示する。また、シンボル表示制御部は、確認操作を検出するまでの時間が所定時間を越えた際に、火災発報時のシンボルを所定の拡大サイズに切り替えて表示するようにしても良い。
【００１０】
本発明は防災表示装置の制御方法を提供する。即ち、本発明は、火災感知器の火災発報に基づく火災検出信号を受信して表示する防災表示装置の制御方法に於いて、
火災感知器の設置場所を示すシンボルを配置した監視対象の地図をデータベースに登録して管理する地図情報管理ステップと、
火災検出信号を受信した際に、発報した火災感知器のシンボルを配置した地図をデータベースから読出して液晶ディスプレイ等の表示画面上に表示すると共に、発報した火災感知器のシンボルを通常監視時とは異なる色の火災発報時のシンボルで表示させる地図情報表示ステップと、
火災発報時のシンボルに対するオペレータによる確認操作を監視し、確認操作を検出するまでの時間経過に応じて火災発報時のシンボルを変化させて表示し、確認操作を検出した際に、変化させて表示しているシンボルを表示が変化する以前の状態に戻すシンボル表示制御ステップと、
を設けたことを特徴とする。
【発明の効果】
【００１１】
本発明によれば、表示画面の地図に火災発報した火災感知器のシンボルを表示している状態で確認操作を行わないと、時間の経過に伴って表示しているシンボルが徐々に又は段階的に拡大するなど変化して表示され、このシンボルの表示の変化によりオペレータに確認操作を促し、火災発生時という緊急事態であっても、迅速且つ適切に確認操作ができ、確認忘れは確実に防止できる。
【発明を実施するための最良の形態】
【００１２】
図１は防災監視システムと共に本発明による防災表示装置の実施形態を示したブロック図である。図１において、防災監視システムには防災受信盤１０が設けられ、防災受信盤１０から引き出された伝送路１１に対し、感知器などの各種センサと防火ダンパや防火戸などの防災制御機器を接続している。
【００１３】
本実施形態にあっては、各種センサとして、中継器１４を介して煙感知器１６、中継器機能を備えたアナログ煙感知器２０、中継器機能を備えたアナログ熱感知器２２、更に光電式分離型煙感知器２４を接続している。なお光電式分離型煙感知器２４は発光部２４ａと受光部２４ｂで構成され、両者を分離配置し、発光部２４ａからパルス光を発光し、煙用に減衰されたパルス光を受光部２４ｂで受光して火災を検出している。
【００１４】
また伝送路１１に対しては、各種防災制御機器として、中継器１４を介して地区音響装置１８、防排煙ダンパ１７、防火戸２１のラッチレリーズ１９を接続している。
【００１５】
防災受信盤１０に対しては本発明による防災表示盤（装置）１２が接続されている。防災表示盤１２はコントローラ２６を備え、コントローラ２６に対し液晶ディスプレイ２８、キーボード３０、マウス３２、プリンタ３４、監視区域を警戒するＩＴＶカメラ３６及び防災警報などを行うスピーカ３８を接続している。
【００１６】
防災表示盤１２のコントローラ２６はコンピュータで実現されており、監視対象となる警戒区域の地図情報を格納したデータベース４０に加え、プログラムの実行により実現される機能として、地図情報管理部４２、地図情報表示部４４及びシンボル表示制御部４６を設けている。
【００１７】
地図情報管理部４２は、防災監視システムに設置している各種センサ及び各種防災制御機器の設置場所を示すシンボルを配置した監視対象の地図をデータベース４０に登録して管理している。
【００１８】
地図情報表示部４４は、防災受信機１０から火災検出信号を受信した際に、発報した火災感知器のシンボルを配置した地図をデータベース４０から読出して液晶ディスプレイ２８の表示画面に表示すると共に、発報した火災感知器の感知器シンボルの色を通常監視時の色とは異なる別の色、具体的には通常監視時の青色から火災発報を示す赤色に変化させ、更に赤色で点滅表示させる。
【００１９】
また地図情報表示部４４は、液晶ディスプレイ２８のメニュー画面からオペレータの操作により地図選択情報を入力した場合にも、データベース４０から対応する地図を読み出して、液晶ディスプレイ２８の画面上に表示する。
【００２０】
シンボル表示制御部４６は、火災発報により赤色に点滅表示している感知器シンボルに対するオペレータの確認操作を監視し、確認操作の待ち時間の経過に応じて感知器シンボルを拡大表示し、オペレータの確認操作を検出した際に感知器シンボルを元の大きさに戻す。
【００２１】
またシンボル表示制御部４６は、火災発報している感知器シンボルの確認操作を検出すると、それまでの赤色の点滅表示から点灯表示に切り替え、確認済みであることがシンボル状態から分かるようにする。
【００２２】
またシンボル表示制御部４６による火災発報した感知器シンボルの待ち時間の経過に伴う拡大方法は、確認操作の待ち時間に応じて所定の最大サイズに達するまでシンボルを徐々に連続して拡大表示する方法、又は、確認操作の待ち時間が所定時間を越えた際に、シンボルを所定の拡大サイズに段階的に切替表示する方法などとする。
【００２３】
図２は本実施形態における防災制御盤のハードウェア構成を示したブロック図である。図２において、防災表示盤１２に設けたコントローラ２６は、コンピュータのハードウェア環境で実現されている。
【００２４】
コントローラ２６を実現するコンピュータはＣＰＵ５０を備え、ＣＰＵ５０のバス５１に対し、ＲＡＭ５２、ＲＯＭ５３、防災受信盤１０を接続するシリアルインタフェース５４、ハードディスクドライブ５５を接続している。
【００２５】
また、コントローラ２６の外部に設けている液晶ディスプレイ２８、キーボード３０、マウス３２、プリンタ３４、ＩＴＶカメラ３６及びスピーカ３８のそれぞれを、専用のインタフェース５６，５７，５８，５９，６０，６１を介して、ＣＰＵ５０のバス５１に接続している。
【００２６】
コントローラ２６のハードディスクドライブ５５には、図１の防災表示盤１２のコントローラ２６に示したデータベース４０及びＣＰＵ５０による実行で、地図情報管理部４２、地図情報表示部４４及びシンボル表示制御部４６として機能させるためのプログラムを格納している。
【００２７】
防災表示盤１２の電源を投入するとコントローラ２６が起動し、ＲＯＭ５３のブートコードの実行により初期化診断処理を行った後に、ハードディスクドライブ５５からＲＡＭ５２にＯＳをロードし、ＯＳをＣＰＵ５０で実行することで、ハードディスクドライブ５５から本実施形態の防災表示処理を行うアプリケーションプログラムをＲＡＭ５２にロードし、ＣＰＵ５０で実行する。
【００２８】
図３は本実施形態のデータベース４０に格納された地図データファイルを示した説明図である。図３の地図データファイル６２は、監視対象の例えば建物の階別に作成された地図を表示するためのデータであり、ヘッダ６４、地図データ６６及びシンボルデータ６８で構成されている。
【００２９】
ヘッダ６４には地図データファイル６２の建物名及び階数などの識別情報が格納されている。地図データ６６は建物の平面レイアウトを示した建物平面図などであり、通常、ＣＡＤによる２次元地図データとして作成されている。
【００３０】
シンボルデータ６８は、地図データ６６により表示される地図上に配置される感知器を含む各種センサ及び各種防災制御機器のそれぞれの配置位置及びシンボル内容を個別に登録したデータである。シンボルデータ６８については、その中に登録されている感知器シンボルデータ７０を右側に取り出して示している。
【００３１】
感知器シンボルデータ７０は、識別子を含むシンボル名、位置座標、図形データ及び指定色で構成されており、指定色については通常時の青色と火災時の赤色を指定している。この感知器シンボルデータ７０を使用することで、地図データ６６により表示された地図上の位置座標で決まる位置に、図形データで決まる感知器シンボルを、通常監視時にあっては青色で表示し、火災発報時には赤色に変化させて点滅表示させ、更に確認待ち時間に応じて拡大表示させる。
【００３２】
地図データファイル６２に基づくシンボルを配置した地図の画面表示は、図２のＲＡＭ５２のメモリ領域を使用したレイアウトレイヤ（レイアウト画層）とシンボルレイヤ（シンボル画層）を使用して行われる。
【００３３】
まず地図については、地図データファイル６２から地図データ６６を読み出してレイアウトレイヤに地図を展開する。またシンボルデータ６８から全てのシンボルデータを読出し、シンボルレイヤにシンボルを展開する。続いてレイアウトレイヤとシンボルレイヤを重ね合わせた合成レイヤを生成し、これを表示画面に地図として表示する。
【００３４】
このようなレイヤ構造を利用したシンボルを配置した地図の表示において、図１に示したシンボル表示制御部４６にあっては、シンボルレイヤに展開している感知器シンボルを対象に、オペレータによる確認操作を監視し、待ち時間の経過に伴って感知器シンボルの拡大表示のための書換えを行い、これをレイアウトレイヤに固定的に展開している地図に重ねて表示画面に表示することになる。
【００３５】
図４は図１に示した防災表示盤１２で防災受信盤１０からの火災検出信号を受信した際の本実施形態によるシンボル表示を示した説明図である。
【００３６】
図４において、防災受信盤１０で火災検出信号を受信すると、図１に示した防災表示盤１２のコントローラ２６に設けた地図情報表示部４４が、火災発報した火災感知器を含む地図データファイルをデータベース４０から例えば図３に示すように読み出し、地図データ６６とシンボルデータ６８に基づき、図４に示すように、表示画面７２に感知器シンボル７６−１〜７６−７を配置した建物平面レイアウトを示す地図７４を表示し、その中の火災発報した火災感知器の感知器シンボル７６−１を通常監視時の青色から赤色点滅状態に変化させる。
【００３７】
ここで表示画面７２に表示した地図７４の右側には操作部７８が表示され、操作部７８の中に、上から前画面キー、次画面キー、直下階キー、直上階キーが配置され、マウスクリックなどの操作により表示画面７２の表示地図を切替表示することができる。
【００３８】
更に、操作部７８の下側には拡大キーと縮小キーが設けられており、それぞれのキー操作により、現在、表示画面７２に表示している地図７４の拡大表示または縮小表示を行うことができる。
【００３９】
図４の表示画面７２のように、火災検出信号の受信に伴い、地図７４に表示している感知器シンボル７６−１を赤色点滅表示とした場合、オペレータは感知器シンボル７６−１に例えばマウス３２の操作によりカーソル８０を移動してクリックする確認操作を行うことになる。
【００４０】
図５は本実施形態による火災発報した感知器シンボルに対する確認操作を示した説明図である。図５において、火災発報により赤色点滅表示している感知器シンボル７６−１に、図４に示したようにカーソル８０をセットしてクリック操作を行うと、図５に示すように確認操作ウィンドウ８２が開き、その中に表示されている確認キー８４にカーソル８０をセットしてクリック操作を行うことで確認操作ができる。
【００４１】
この確認操作を行うと、それまで赤色点滅表示となっていた火災発報している感知器シンボル７６−１は、赤色点灯状態に切り替わり、確認操作が行われたことを示すようになる。またオペレータの確認操作に伴い、図１の防災表示盤１２のコントローラ２６にあっては、確認操作が行われたことを時刻情報と共にデータベース４０のログ情報に記録する。シンボルのそばに「確認済」と表示しても良い。
【００４２】
図６は図４のように、火災検出信号を受信して感知器シンボル７６−１を赤色点滅表示とした後に、オペレータが確認操作を行わずに時間が経過した場合の感知器シンボルの拡大変化を示した説明図である。
【００４３】
即ち図４に示す火災検出信号を受信して感知器シンボル７６−１を赤色点滅としたときにタイマを起動し、且つオペレータによる確認操作を監視している。タイマで計数している確認待ち時間が例えば予め定めたＴ１時間に達すると、図６のように、図４の火災発報の赤色点滅表示している感知器シンボル７６−１を一回り大きなサイズに拡大表示して赤色点滅表示とする。
【００４４】
このような火災発報を示す感知器シンボル７６−１の拡大表示により、確認操作をオペレータが忘れている場合には、拡大表示により例えば防災監視盤から離れた位置にいても感知器シンボル７６−１の大きな点滅が分かり、確認操作のために防災監視盤に戻って、カーソル８０の移動によるクリック操作で確認を行うことを可能とする。
【００４５】
図７は図６の状態から確認操作をせずに更に時間が経過した場合の感知器シンボルの拡大変化を示しており、例えば図４の感知器シンボル７６−１の表示の際に起動したタイマにつき、更に長い所定の経過時間Ｔ２に達したとき、図７に示すように、図６のＴ１時間の経過時の感知器シンボル７６−１より更に一回り大きい感知器シンボル７６−１の赤色点滅表示に切り替え、オペレータに対し強く確認操作を促すようにする。
【００４６】
このような火災発報した感知器シンボルの確認操作に対する待ち時間の経過に伴う拡大表示に対し、いずれかの段階で図５に示したようにオペレータが確認操作を行うと、それまで赤色点滅表示していた感知器シンボル７６−１は点灯表示に切り替わり、且つサイズも図５に示すような元のサイズに戻ることになる。
【００４７】
図８は本実施形態による防災表示処理を示したフローチャートであり、図１を参照して説明すると次のようになる。
【００４８】
図８において、本実施形態の防災表示処理は、ステップＳ１で防災受信盤１０からの火災検出信号の受信の有無をチェックしており、火災検出信号を受信すると、ステップＳ２に進み、防災表示盤１２のコントローラ２６に設けている地図情報表示部４４が、火災発生場所を含む地図を例えば図４に示すように液晶ディスプレイ２８の表示画面７２に表示し、火災発報した例えば感知器シンボル７６−１を赤色点滅表示とする。
【００４９】
続いてステップＳ３で確認操作の待ち時間を計数するタイマをスタートし、ステップＳ４で確認操作の有無を判別し、確認操作がなければ、ステップＳ５でタイマがＴ１時間経過したか否か判別している。スタートしたタイマでＴ１時間の経過を判別すると、ステップＳ６に進み、例えば図５に示したように第１段階の発報中の感知器シンボル７６−１の拡大表示を行う。
【００５０】
続いてステップＳ７で確認操作があるか否か判別しており、確認操作が無ければステップＳ８で、ステップＳ３でスタートしたタイマの時間がＴ２時間を経過したか否か判別している。
【００５１】
タイマの時間がＴ２時間経過となることを判別すると、ステップＳ９に進み、例えば図７に示したように、発報中の感知器シンボル７６−１を更に２段階大きくしたシンボルの拡大表示を行う。
【００５２】
このフローチャートにあっては、感知器シンボルのステップＳ６の１段階目の拡大表示とステップＳ９の２段階目の拡大表示で最大サイズとなり、それ以降は２段階目の拡大表示のシンボルサイズを維持する。
【００５３】
続いてステップＳ１０で確認操作を判別すると、ステップＳ１１でシンボルを元の大きさに戻し、且つシンボルの赤色点滅表示を赤色点灯表示に切り替える。
【００５４】
続いてステップＳ１２で火災復旧があるまで、ステップＳ１からの処理を繰り返しており、ステップＳ１２で火災復旧を判別すると、ステップＳ１３で感知器シンボルの発報表示を停止し、元の青色のシンボルに戻すようにする。
【００５５】
ここで、ステップＳ３〜Ｓ１１に示した感知器シンボルの確認操作時間の経過に伴うシンボル拡大表示の処理は、図１の防災表示盤１２のコントローラ２６に設けているシンボル表示制御部４６の処理機能として実行されるものである。
【００５６】
なお図８のフローチャートにあっては、確認操作の待ち時間について経過時間Ｔ１と経過時間Ｔ２の２段階に判別して、段階的に感知器シンボルを拡大表示する場合を例にとっているが、経過時間の増加に応じて連続的に感知器シンボルを徐々に拡大表示するようにしてもよい。
【００５７】
また上記の実施形態は、確認操作を必要とする火災発報した感知器シンボルを対象とするものであったが、これ以外に適宜の検出信号の受信時あるいは防災制御機器からの動作信号の受信時に、確認操作を必要とする各種センサや防災制御機器のシンボルについても、火災発報した感知器シンボルの場合と同様、確認操作の待ち時間に応じてシンボルを拡大表示し、オペレータに確認操作を促すようにしてもよい。
【００５８】
さらに上記の実施形態はシンボルの大きさを段階的に変化させるが、シンボルに合わせて発報してからの経過時間を表示しても良く、また赤色の明度を変化させたりして変化させても良い。発報したシンボルを用意に確認ができるようにするため、未確認の発報端末を経過時間の長い順に検索して画面に表示させる、検索ボタンを画面上に追加しても良い。
【００５９】
また上記の実施形態は防災受信盤に接続された防災表示盤で行っているが、これに限らず、防災受信盤の表示画面で行っても良い。
【００６０】
また本発明は、その目的と利点を損なうことのない適宜の変形を含み、更に上記の実施形態に示した数値による限定は受けない。
【図面の簡単な説明】
【００６１】
【図１】防災監視システムと共に本発明による防災表示装置の実施形態を示したブロック図
【図２】本実施形態における防災表示装置のハードウェア構成を示したブロック図
【図３】本実施形態でデータベースに登録された地図データファイルを示した説明図
【図４】火災検出信号を受信した際の本実施形態によるシンボル表示を示した説明図
【図５】本実施形態による火災発報した感知器シンボルに対する確認操作を示した説明図
【図６】確認操作をせずに時間が経過した場合の感知器シンボルの拡大変化を示した説明図
【図７】図６に続いて確認操作をせずに更に時間が経過した場合の感知器シンボルの拡大変化を示した説明図
【図８】本実施形態による防災表示処理を示したフローチャート
【符号の説明】
【００６２】
１０：防災受信盤
１１：伝送路
１２：防災表示装置
１４，１５：中継器
１６，２０：アナログ煙感知器
１７：防排煙ダンパ
１８：地区音響装置
１９：ラッチ；ｌーズ
２１：防火戸
２２：アナログ熱感知器
２４：光電式分離型煙感知器
２６：コントローラ
２８：液晶ディスプレイ
３０：キーボード
３２：マウス
３４：プリンタ
３６：ＩＴＶカメラ
３８：スピーカ
４０：データベース
４２：地図情報管理部
４４：地図情報表示部
４６：シンボル表示部
６２：地図データファイル
６４：ヘッダ
６６：地図データ
６８：シンボルデータ
７０：感知器シンボルデータ
７２：表示画面
７４：地図
７６−１〜７４−７：感知器シンボル
７８：操作部
８０：カーソル
８２：確認操作ウィンドウ
８４：確認キー
【図１】
0005144146.tif 000002
【図２】
0005144146.tif 000003
【図３】
0005144146.tif 000004
【図４】
0005144146.tif 000005
【図５】
0005144146.tif 000006
【図６】
0005144146.tif 000007
【図７】
0005144146.tif 000008
【図８】
0005144146.tif 000009